(57)【要約】【課題】高温環境においても使用可能な電気コネクタハウジングを得る。【解決手段】ハウジング１はハウジング本体２と、このハウジング本体２に覆われ弾力性を有する合成樹脂から成るキャビティ部３とから成り、これらはキャビティ部３に設けられた爪部３ｃをハウジング本体２の一部に掛止することにより一体に連結されている。キャビティ部３には接続端子４を収納するためのボックス部収容孔３ｄ、圧着部収容孔３ｅが設けられている。このハウジング１のうち、高温に晒されるハウジング本体２は、高温、高湿になっても機能低下が生じないような合成樹脂材が選択されており、弾性力を必要とするキャビティ部３は、それに適した合成樹脂材が用いられている。【選択図】        図３
2004265660.tif 000002
【特許請求の範囲】
【請求項１】
接続端子を内蔵する合成樹脂から成る電気コネクタハウジングであって、前記接続端子を収納する端子収納部を有するキャビティ部と、該キャビティ部を外側から覆い該キャビティ部とは別材料の耐高熱性、耐高湿性を有するハウジング本体とから成り、前記キャビティ部を前記ハウジング本体に挿着して固定したことを特徴とする電気コネクタハウジング。
【請求項２】
前記キャビティ部内には前記接続端子を係止するための係止ランスを設けた請求項１に記載の電気コネクタハウジング。
【請求項３】
前記ハウジング本体には相手側ハウジングと錠止するための金属ばね材から成る錠止部を設けた請求項１に記載の電気コネクタハウジング。
【発明の詳細な説明】
【０００１】
【発明の属する技術分野】
本発明は、高温高湿環境において使用可能な電気コネクタハウジングに関するものである。
【０００２】
【従来の技術】
相手側コネクタハウジングに嵌合して使用し、接続端子を収容した従来の合成樹脂製の電気コネクタハウジングは、機械強度、耐熱性、耐薬品性などの点からＰＢＴ樹脂（ポリブチレンテレフタート）が多く用いられている。
【０００３】
【発明が解決しようとする課題】
ＰＢＴ樹脂は上述の優れた特性を有しているが、材料特性上、高湿環境下で水分と結合すると加水分解し、機械的強度が大幅に低下する懸念がある。即ち、ＰＢＴ樹脂によるコネクタハウジングを自動車等に使用した場合には、エンジンルーム内での使用による耐熱性、バッテリ液やウオッシャ液などの耐薬品性を満足しても、高温水蒸気による加水分解で、ＰＢＴ分子内の結合が破壊されて脆弱化し、コネクタの機能を果たし得なくなることがある。
【０００４】
そこで、ハウジングに高温・高湿に強いＰＰＳ樹脂を使用することが考えられるが、一方でこのＰＰＳ樹脂は硬質で弾力性が少なく、内蔵した接続端子の固定機能や相手側ハウジングとの錠止機能が稍々劣るという問題点がある。
【０００５】
本発明の目的は、上述の問題点を解消し、ハウジングを複数の材料の異なる部材により構成し、外装のハウジング本体に内部のキャビティ部とは異なる耐熱性を有する材料を使用した耐高熱性、耐高湿性を有する材料を使用した電気コネクタハウジングを提供することにある。
【０００６】
【課題を解決するための手段】
上記目的を達成するための本発明に係る電気コネクタハウジングは、接続端子を内蔵する合成樹脂から成る電気コネクタハウジングであって、前記接続端子を収納する端子収納部を有するキャビティ部と、該キャビティ部を外側から覆い該キャビティ部とは別材料の耐高熱性、耐高湿性を有するハウジング本体とから成り、前記キャビティ部を前記ハウジング本体に挿着して固定したことを特徴とする。
【０００７】
【発明の実施の形態】
本発明を図示の実施の形態に基づいて詳細に説明する。
図１はハウジング本体とキャビティ部とを組み合わせた状態の本発明に係る電気コネクタハウジングの正面図、図２は背面図、図３は接続端子を挿着した状態の縦断面図、図４は分解断面図である。
【０００８】
ハウジング１は例えばＰＰＳ樹脂のような耐熱性合成樹脂材から成るハウジング本体２と、このハウジング本体２に覆われ弾発性を有する合成樹脂材から成るキャビティ部３とから成り、キャビティ部３はハウジング本体２のフード部２ａの側から挿入され、その前半部３ａをフード部２ａ内に残したまま、後半部３ｂはハウジング本体２の後部に挿着され、更にキャビティ部３の外側に設けられた爪部３ｃをハウジング本体２の掛止部２ｂに掛止することにより、前方への戻り移動を不可に連結されている。
【０００９】
キャビティ部３の前半部３ａから後半部３ｂにかけて、接続端子４のボックス部４ａを収納するための断面矩形状のボックス部収容孔３ｄが設けられ、後半部３ｂ内にはボックス部収容孔３ｄに連続して内断面が略楕円状の圧着部収容孔３ｅが設けられている。なお、この実施の形態においては２個のボックス部収容孔３ｄ、圧着部収容孔３ｅが水平方向に配列されている。そして、キャビティ部３の前半部３ａでは仕切壁３ｆを有してはいるが、２つのボックス部収容孔３ｄを一体とした角筒部３ｇとされ、後半部３ｂは圧着部収容孔３ｅごとに筒状部３ｇが隣接して設けられている。
【００１０】
ボックス部収容孔３ｄは前方に相手側接続端子を受け入れる開口３ｉを有すると共に、内在する接続端子４を係止し、後方への抜け出しを防止するための弾発性を有する係止ランス３ｊが、中間部３ｋ内に斜め前方下方に向けて突出されている。
【００１１】
キャビティ部３の後半部３ｂである筒状部３ｇは、ハウジング本体２の後部に設けられた挿通孔２ｃ内に挿入され、筒状部３ｇは挿通孔２ｃに設けられた後縁部２ｄに係合され、キャビティ部３のハウジング本体２の後方への抜け止めが防止されている。キャビティ部３の角筒部３ｇはハウジング本体２のフード部２ａ内に突出されており、更に角筒部３ｇの周囲には、シリコンゴムから成り内外面に断面波形状のシール部を有する角筒状のシール部材５が装着されている。シール部材５の一部はハウジング本体２に設けられた取付孔２ｅに取り付けられている。
【００１２】
また、ハウジング本体２の一部には、ＳＵＳ等の金属板から成る錠止ばね６が固定され、相手側ハウジングとの嵌合時の錠止機能を果たすようにされている。
錠止ばね６の２つの取付部の内の一部の取付部６ａはハウジング本体２の後方に直進して溝部２ｅに取り付けられ、他の取付部６ｂはＵ字状に弯曲されて、ハウジング本体２の一部に設けた溝部２ｆに挿入され、爪６ｃにより固定されている。錠止ばね６の前端の自由端部６ｄは相手側ハウジングに向けて突出され、先端は相手側ハウジングの錠止用爪部に乗り上げるための反り６ｅが形成され、その近傍には錠止用爪部と嵌合するための錠止孔６ｆが設けられている。
【００１３】
キャビティ部３の各ボックス部収容孔３ｄ、圧着部収容孔３ｅ内に上述したように接続端子４が挿入されると、ボックス部４ａの前端はボックス部収容孔３ｄの開口３ｉ付近の前縁３ｌに係止され、ボックス部４ａの後端に係止ランス３ｊが係止される。圧着部収容孔３ｅ内に収容された接続端子４の後端の圧着部４ｂ、４ｃには電線７が接続されており、圧着部４ｂには電線７の芯線７ａがかしめ止められ、圧着部４ｃには電線７の絶縁被覆部７ｂがかしめ止められている。そして、各電線７の周囲に、防水のためのシリコンゴム製の円筒シール部材８が挿着されている。
【００１４】
円筒シール部材８には小径部８ａ、中径部８ｂ、大径部８ｃがその順に設けられ、小径部８ａは電線７の絶縁被覆部７ｂと共に圧着部４ｃにより圧着固定され、円筒シール部材８の電線７に対する位置を固定している。また、中径部８ｂは断面波形状のシール部を有し絶縁被覆部７ｂの外周と圧着部収容孔３ｅの内壁間を水密に防水する機能を果している。大径部８ｃはハウジング本体２の後縁部２ｄとキャビティ部３の筒状部３ｇの後端部との接合部を覆って、この部分を水密に防水する機能を果すようにされている。
【００１５】
このように電気コネクタハウジングのうち、高温に晒される外装のハウジング本体２及び錠止ばね６は、高温でも機能低下が生じないような合成樹脂材及び金属ばねが選択されており、更に接続端子４を係止するために弾性力を必要とするキャビティ部３は、それに適した合成樹脂材が用いられている。
【００１６】
また、ハウジング本体２とキャビティ部３とを別体で製作することにより、金型構造が複雑とならないという利点があり、高価な耐熱性、耐高湿性樹脂の使用量も少なくできる。
【００１７】
【発明の効果】
以上説明したように本発明に係る電気コネクタハウジングは、ハウジングを複数の部材から構成し、高温度、高湿度に晒される部材は耐高熱性、耐高湿性材料としたために、高温高湿環境においても十分に使用に耐えられ、価格コストを低減できる。
【図面の簡単な説明】
【図１】ハウジング本体とキャビティ部を組み合わせた状態の正面図である。
【図２】背面図である。
【図３】縦断面図である。
【図４】分解断面図である。
【符号の説明】
１  ハウジング
２  ハウジング本体
３  キャビティ部
３ｃ  端子収容孔
３ｊ  係止ランス
４  接続端子
５、８  シール部材
６  錠止ばね
７  電線
【図１】
2004265660.tif 000003
【図２】
2004265660.tif 000004
【図３】
2004265660.tif 000005
【図４】
2004265660.tif 000006